(57)【要約】【課題】部品点数、設置スペースが少なくて済むロック機構を備えたロール紙収納幅可変機構を提案すること。【解決手段】ロール紙プリンター１のロール紙収納部１０にはロール紙１２の幅に応じてロール紙収納幅を変更可能なロール紙収納幅可変機構が組み込まれている。この機構は、ロール紙収納幅を規定する左右の第１、第２ロール紙ガイド３１、３２と、これらを幅方向３３にスライド可能に支持するガイド軸３４と、第１、第２ロール紙ガイド３１、３２のロック機構３７とを備えている。ロック機構３７は、第１ロール紙ガイド３１の軸孔形成部３１ｄに形成した４枚の爪部材５１と、爪部材５１を弾性変形させてガイド軸３４に圧接させるためのブッシュ５２と、ブッシュ５２を回動させる操作レバー３８とを備えている。爪部材５１の外周面形状とブッシュ５２に内周面形状を適切に設定することにより、ロック、ロック解除の切り替えを行うことができる。【選択図】図１２
2010202304.tif 000002
【特許請求の範囲】
【請求項１】
ロール紙収納部のロール紙収納幅を規定する第１ロール紙ガイドおよび第２ロール紙ガ
イドのうち、少なくとも一方が前記ロール紙収部の幅方向に移動可能な可動式ロール紙ガ
イドとなっているロール紙収納幅可変機構であって、
前記可動式ロール紙ガイドを前記幅方向にスライド可能な状態で支持しているガイド軸
と、
弾性変形して前記ガイド軸の外周面に圧接し、前記可動式ロール紙ガイドを前記ガイド
軸にロック可能な軸圧接部材と、
前記ガイド軸を中心として回動して、前記軸圧接部材を弾性変形させて前記ガイド軸に
圧接させたロック状態、および、当該軸圧接部材の弾性変形を解除したロック解除状態を
形成する回動部材とを有していることを特徴とするロール紙収納幅可変機構。
【請求項２】
前記可動式ロール紙ガイドは、前記ガイド軸がスライド可能な状態で貫通している軸孔
が形成されている軸孔形成部を備えており、
前記軸圧接部材は前記ガイド軸を同軸状態に取り囲んでいる少なくとも一つの爪部材を
備え、これらの爪部材は、前記軸孔形成部に一体形成されていると共に前記ガイド軸の半
径方向に弾性変形可能であることを特徴とする請求項１に記載のロール紙収納幅可変機構
。
【請求項３】
前記回動部材は、前記可動式ロール紙ガイドと共に前記ガイド軸に沿ってスライドする
筒状部材であり、
前記筒状部材は前記ガイド軸を取り囲んでいる爪押し付け用内周面を備えており、
前記ガイド軸と前記筒状部材の前記爪押し付け用内周面の間に形成されている環状空間
に、前記爪部材が前記ガイド軸の軸線方向から差し込まれており、
前記ロック状態では前記爪部材が前記筒状部材の前記爪押し付け用内周面によって前記
ガイド軸の側に弾性変形させられ、前記ロック解除状態では前記弾性変形が解除されるよ
うに、前記爪部材の外周面の輪郭形状および前記爪押し付け用内周面の輪郭形状が設定さ
れていることを特徴とする請求項２に記載のロール紙収納幅可変機構。
【請求項４】
前記筒状部材の前記爪押し付け用内周面には、その周方向に沿って凹円弧面と平面が交
互に繰り返し形成されており、
各爪部材の前記外周面には、前記周方向に沿って少なくとも一つの凸円弧面と少なくと
も一つの平面が形成されており、
前記ロック状態では、前記筒状部材の前記爪押し付け用内周面における前記平面のそれ
ぞれが、各爪部材の前記凸円弧面に乗り上げて各爪部材を前記ガイド軸の側に弾性変形さ
せた状態が形成され、
前記ロック解除状態では、前記筒状部材の前記爪押し付け用内周面における前記凹円弧
面のそれぞれが、各爪部材の前記凸円弧面に対峙して各爪部材が前記ガイド軸から離れる
方向に弾性復帰した状態が形成されることを特徴とする請求項３に記載のロール紙収納幅
可変機構。
【請求項５】
前記第１ロール紙ガイドおよび前記第２ロール紙ガイドのそれぞれが前記可動式ロール
紙ガイドであり、
前記軸圧接部材として、前記第１ロール紙ガイドと共に前記ガイド軸に沿ってスライド
する第１軸圧接部材と、前記第２ロール紙ガイドと共に前記ガイド軸に沿ってスライドす
る第２軸圧接部材とが配置されており、
前記回動部材として、前記第１ロール紙ガイドと共に前記ガイド軸に沿ってスライドす
る第１回動部材と、前記第２ロール紙ガイドと共に前記ガイド軸に沿ってスライドする第
２回動部材とが配置されていることを特徴とする請求項１ないし４のうちのいずれかの項
に記載のロール紙収納幅可変機構。
【請求項６】
前記第１回動部材および前記第２回動部材は、前記ガイド軸に対して、当該ガイド軸回
りに相対回転不可の状態で連結されており、
前記第１軸圧接部材、前記第２軸圧接部材、および前記ガイド軸のいずれか一つには、
これらを回動させるための操作レバーが取り付けられていることを特徴とする請求項５に
記載のロール紙収納幅可変機構。
【請求項７】
前記ロック状態が形成される前記第１回動部材のロック位置と前記第２回動部材のロッ
ク位置とは、前記ガイド軸回りに所定角度だけオフセットしており、
前記操作レバーの操作により、一方の前記可動式ロール紙ガイドが他方の前記可動式ロ
ール紙ガイドよりも先に前記ガイド軸にロックした状態が形成されることを特徴とする請
求項６に記載のロール紙収納幅可変機構。
【請求項８】
前記第１ロール紙ガイドおよび前記第２ロール紙ガイドを、前記ガイド軸に沿って逆方
向に連動してスライドするように連結している連動機構と、
前記第１ロール紙ガイドを前記第２ロール紙ガイドの側に向けて付勢している第１付勢
部材とを有していることを特徴とする請求項５または６に記載のロール紙収納幅可変機構
。
【請求項９】
前記ロック状態が形成される前記第１回動部材のロック位置と前記第２回動部材のロッ
ク位置とは、前記ガイド軸回りに所定角度だけオフセットしており、
前記操作レバーの操作により、前記第２ロール紙ガイドが前記第１ロール紙ガイドより
も先に前記ガイド軸にロックした状態が形成されることを特徴とする請求項８に記載のロ
ール紙収納幅可変機構。
【請求項１０】
前記第２ロール紙ガイドを前記第１ロール紙ガイドの側に向けて付勢している第２付勢
部材とを有していることを特徴とする請求項９に記載のロール紙収納幅可変機構。
【請求項１１】
前記第１付勢部材による付勢力と前記第２付勢部材による付勢力を異なる大きさとした
ことを特徴とする請求項１０に記載のロール紙収納幅可変機構。
【請求項１２】
請求項１ないし１１のうちのいずれかの項に記載のロール紙収納幅可変機構を備えたロ
ール紙収納部を有していることを特徴とするロール紙供給装置。
【請求項１３】
請求項１ないし１１のうちのいずれかの項に記載のロール紙収納幅可変機構を備えたロ
ール紙収納部を有していることを特徴とするロール紙プリンター。
【発明の詳細な説明】
【技術分野】
【０００１】
本発明は、転動可能な横置き状態にロール紙を収納するロール紙プリンター等における
ロール紙収納部のロール紙収納幅可変機構に関する。さらに詳しくは、収納されるロール
紙の幅に応じて、ロール紙収納幅を規定している左右のロール紙ガイドの少なくとも一方
を幅方向に移動させることにより、紙幅の異なるロール紙をガタ付き無く収納できるロー
ル紙収納幅可変機構に関する。
【背景技術】
【０００２】
レシートなどを発行するロール紙プリンターでは、記録媒体として、長尺状の記録紙を
ロール状に巻き付けた構成のロール紙が用いられる。ロール紙プリンターに搭載されてい
るロール紙供給機構としては、上側から横置き状態で投入されたロール紙を転動可能に収
納する、所謂、投げ込み式あるいはドロップイン方式と呼ばれるロール紙収納部を備えた
ものが知られている。
【０００３】
この種のロール紙供給機構としては、異なる紙幅のロール紙を収納できるように、ロー
ル紙収納部の収納幅を規定している左右のロール紙ガイドを移動できるようにした収納幅
可変式のものが特許文献１に開示されている。ここで、左右のロール紙ガイドを所定の位
置にロックするためのロック機構としては、一定のピッチで形成したノッチに係合爪を係
合させる構成のものが知られている。このロック機構ではノッチの間の位置にロール紙ガ
イドをロックすることができないので、収納幅調整精度が粗く、収納されるロール紙をガ
タつき無く収納できない場合がある。
【０００４】
これに対して、特許文献２に記載の熱転写プリンターでは、左右のロールガイドをロッ
クするためのロック機構として、ロールガイドと一体のラックを、板ばね製のカムによっ
て生ずる摩擦力によって位置決め固定することにより、ロールガイドを無段階に幅方向の
各位置に位置決め固定できるようにした機構が備わっている。ここに開示のロック機構で
は、ロール紙の芯に挿入されたステーの内部において、左右のロールガイドを連動させる
ためのラック・ピニオン機構に沿ってカム軸を配置し、このカム軸の両軸端側の部位の外
周面から半径方向に突出する板ばね製のカムを取り付け、カム軸の軸端に取り付けた操作
レバーを操作してカム軸を９０度回転させると、カムが左右のラックにばね力によって摩
擦係合した状態が形成され、左右のラックが取り付けられている左右のロールガイドが位
置決め固定される。
【先行技術文献】
【特許文献】
【０００５】
【特許文献１】特開２００６−４４９００号公報
【特許文献２】特開２００７−１２６２２９号公報
【発明の概要】
【発明が解決しようとする課題】
【０００６】
特許文献２に開示のロック機構は、無段階に収納幅を調整できるが、幅方向にカム軸を
設け、このカム軸の外周面には半径方向に延びる板ばね製のカムを取り付け、ラックには
、カム軸の回転に伴ってカムの摩擦係合状態および係合解除状態が形成されるように、カ
ムを取り囲む部分を形成する必要がある。したがって、部品点数が多く、カム軸、板ばね
状のカム、カムに摩擦係合するラック部分などの設置するためのスペースを多く必要とし
、ロール紙収納部の小型コンパクト化および低コスト化には不利である。
【０００７】
本発明の課題は、この点に鑑みて、部品点数が少なく、設置スペースが少なくて済む可
動式ロール紙ガイドのロック機構を備えたロール紙収納幅可変機構、当該ロール紙収納幅
可変機構を備えたロール紙供給装置、および当該ロール紙収納幅可変機構を備えたロール
紙プリンターを提案することにある。
【課題を解決するための手段】
【０００８】
上記の課題を解決するために、本発明は、
ロール紙収納部のロール紙収納幅を規定する第１ロール紙ガイドおよび第２ロール紙ガ
イドのうち、少なくとも一方が前記ロール紙収部の幅方向に移動可能な可動式ロール紙ガ
イドとなっているロール紙収納幅可変機構であって、
前記可動式ロール紙ガイドを前記幅方向にスライド可能な状態で支持しているガイド軸
と、
弾性変形して前記ガイド軸の外周面に圧接し、前記可動式ロール紙ガイドを前記ガイド
軸にロック可能な軸圧接部材と、
前記ガイド軸を中心として回動して、前記軸圧接部材を弾性変形させて前記ガイド軸に
圧接させたロック状態、および、当該軸圧接部材の弾性変形を解除したロック解除状態を
形成する回動部材とを有していることを特徴としている。
【０００９】
本発明では、可動式ロール紙ガイドをスライド可能に支持しているガイド軸の外周面に
対して、軸圧接部材を弾性変形させて圧接することにより、当該可動式ロール紙ガイドの
ロック状態を形成している。ガイド軸の外周面を利用してロック状態を形成しているので
、従来に比べてスペースを取らないコンパクトなロック機構を構成できる。
【００１０】
ここで、ガイド軸に沿って可動式ロール紙ガイドをスライド可能にするために、前記可
動式ロール紙ガイドに、前記ガイド軸がスライド可能な状態で貫通するように軸孔が形成
される。この場合には、軸圧接部材を、前記ガイド軸を同軸状態に取り囲んでいる少なく
とも一つの爪部材を備えた構成とし、これらの爪部材を、前記軸孔が形成されている軸孔
形成部に一体形成すると共に前記ガイド軸の半径方向に弾性変形可能にしておけばよい。
【００１１】
ガイド軸を同軸状態に取り囲んでいる複数の爪部材をガイド軸外周面に押し付けること
により、ガイド軸と爪部材の間が確実に係合した状態が形成され、可動式ロール紙ガイド
を所定位置において確実にロックすることができる。また、爪部材はガイド軸を同軸状に
取り囲む状態に配置されているので、それらの設置スペースも極めて少なくて済む。また
、このような爪部材は、樹脂の射出成形などにより可動式ロール紙ガイドに一体成形でき
るので、部品点数が増加することもなく、組み立て工数も増加しない。
【００１２】
このような爪部材をガイド軸の外周面に向けて弾性変形させて押し付けるためには、前
記回動部材を、前記可動式ロール紙ガイドと共に前記ガイド軸に沿ってスライドする筒状
部材とし、当該筒状部材に、前記ガイド軸を取り囲んでいる爪押し付け用内周面を形成し
、前記ガイド軸と前記爪押し付け用内周面の間に形成されている環状空間に、前記爪部材
を前記ガイド軸の軸線方向から差し込み、前記ロック状態では前記爪部材が前記爪押し付
け用内周面によってガイド軸の側に弾性変形させられ、前記ロック解除状態では前記弾性
変形が解除されるように、前記爪部材の外周面の輪郭形状および前記爪押し付け部材の内
周面の輪郭形状を設定しておけばよい。
【００１３】
この構成によれば、ガイド軸の外周部分に設置スペースを必要とすることなく、爪部材
および筒状部材によって可動式ロール紙ガイドのロック機構を組み込むことができる。
【００１４】
ここで、前記爪部材の外周面の輪郭形状および前記爪押し付け用内周面の輪郭形状とし
ては、次の構成を採用することができる。すなわち、前記筒状部材の前記爪押し付け用内
周面に、円周方向に沿って凹円弧面と平面とを交互に繰り返し形成し、各爪部材の前記外
周面には、前記円周方向に沿って少なくとも一つの凸円弧面と少なくとも一つの平面とを
形成しておき、前記ロック状態が形成される回動位置では、前記ブッシュの前記爪押し付
け用内周面における前記平面のそれぞれが各爪部材の前記凸円弧面に乗り上げて各爪部材
を前記ガイド軸の側に弾性変形させる状態を形成し、前記ロック解除状態が形成される回
動位置では、前記ブッシュの前記爪押し付け用内周面における前記凹円弧面のそれぞれが
各爪部材の前記凸円弧面に対峙して各爪部材が前記ガイド軸から離れる方向に弾性復帰す
る状態を形成すればよい。
【００１５】
このようにすれば、ロック状態を形成するために必要な筒状部材（回動部材）の回動角
度を小さな角度にすることができる。この結果、筒状部材（回動部材）を回動させるため
の操作レバーの操作範囲が狭くてすむので、操作性が向上し、操作レバーを操作するため
の所要スペースが少なくて済む。
【００１６】
次に、本発明においては、前記第１ロール紙ガイドおよび前記第２ロール紙ガイドのそ
れぞれを前記ガイド軸に沿ってスライド可能な前記可動式ロール紙ガイドとすることがで
きる。この場合には、前記軸圧接部材として、前記第１ロール紙ガイドと共に前記ガイド
軸に沿ってスライドする第１軸圧接部材と、前記第２ロール紙ガイドと共に前記ガイド軸
に沿ってスライドする第２軸圧接部材とを配置し、前記回動部材として、前記第１ロール
紙ガイドと共に前記ガイド軸に沿ってスライドする第１回動部材と、前記第２ロール紙ガ
イドと共に前記ガイド軸に沿ってスライドする第２回動部材とを配置すればよい。
【００１７】
このように双方が可動式ロール紙ガイドの場合には、前記第１回動部材および前記第２
回動部材を、前記ガイド軸に対して、当該ガイド軸回りに相対回転不可の状態で連結して
おけば、前記第１回動部材、前記第２回動部材、および前記ガイド軸のいずれか一つを操
作レバーによって回動させれば、ロックおよびロック解除状態を形成できる。よって、こ
れらを回動させるための操作レバーの取付位置の自由度が増すという利点がある。
【００１８】
また、双方が可動式ロールガイドの場合には、一方の側の前記第１回動部材のロック位
置と他方の側の前記第２回動部材のロック位置とを、前記ガイド軸回りに所定角度だけオ
フセットさせ、一方の前記可動式ロール紙ガイドが他方の前記可動側ガイドよりも先に前
記ガイド軸にロックした状態が形成されるようにすることができる。
【００１９】
このようにすれば、一方がロック状態になった時点で他方の可動式ロールガイドをロー
ル紙の側面に押し付けることができるので、ガタつきの無い状態でロール紙を収納可能な
位置に双方の可動式ロール紙ガイドを位置決め固定できる。
【００２０】
次に、双方が可動式ロール紙ガイドの場合には、これらを前記ガイド軸に沿って逆方向
に連動するように、ラック・ピニオン機構などの連動機構によって連結しておくと、ロー
ル紙収納幅の変更操作が容易になる。この場合には、一方の前記第１ロール紙ガイドを他
方の前記第２ロール紙ガイドの側に向けて付勢している第１付勢部材を配置しておくこと
が望ましい。双方のロール紙ガイドの間にロール紙を挟んだ状態において、付勢力によっ
て双方のロール紙ガイドがロール紙の側面に押し付けられた状態になる。したがって、こ
の状態で双方のロール紙ガイドをロックすることにより、ガタつき無くロール紙を収納可
能な状態を形成できる。
【００２１】
この場合、前記第１ロール紙ガイドの前記第１回動部材のロック位置と前記第２ロール
紙ガイドの前記第２回動部材のロック位置とを、前記ガイド軸回りに所定角度だけオフセ
ットさせて、前記第２ロール紙ガイドが前記第１ロール紙ガイドよりも先に前記ガイド軸
にロックした状態が形成されるようにしておくことが望ましい。
【００２２】
第１付勢部材によって付勢されている第１ロール紙ガイドが先にロックした場合におい
ては、第２ロール紙ガイドは付勢状態から解放されて連動機構のバックラッシなどに起因
して幅方向にガタ付くことがあり、ロール紙の側面に対して隙間のできた状態でロックさ
れてしまうことがある。本発明では、第２ロール紙ガイドがロックされ、ロックされた第
２ロール紙ガイドに対してロール紙を挟み、第１ロール紙ガイドが付勢力によって押し付
けられた状態で当該第１ロール紙ガイドがロックされるので、ロール紙をガタつきの無い
状態で収納可能な位置に双方のロール紙ガイドをロックできる。よって、双方のロール紙
ガイドによって、収納されるロール紙の幅方向の中央位置を精度良く規定することができ
る。
【００２３】
ここで、前記第２ロール紙ガイドを前記第１ロール紙ガイドの側に向けて付勢している
第２付勢部材を配置して、双方のロール紙ガイドを付勢することも可能である。
【００２４】
この場合には、双方の付勢力が同一の強さとなっていると、双方のロール紙ガイドがロ
ックされる直前において、双方のロール紙ガイドは、連動機構のバックラッシなどに起因
するガタつき分だけ左右に移動可能な浮動状態になっており、ガタつき分だけ一方の側に
片寄った状態でロックされ、それらによって規定される幅方向の中央位置が左右にずれる
可能性がある。また、ロール紙側面に対して僅かに隙間のある状態でロックされてしまう
可能性もある。このような弊害を防止するためには、前記第１付勢部材による付勢力と前
記第２付勢部材による付勢力を異なる大きさとしておくことが望ましい。
【００２５】
次に、本発明は、ロール紙プリンターなどにロール紙から繰り出される長尺状の記録紙
を供給するロール紙供給装置において、上記構成のロール紙収納幅可変機構を備えたロー
ル紙収納部を有していることを特徴としている。
【００２６】
また、本発明は、内蔵のロール紙収納部に収納されているロール紙から繰り出される長
尺状のロール紙に印刷を行うロール紙プリンターにおいて、ロール紙収納部が上記構成の
ロール紙収納幅可変機構を備えていることを特徴としている。
【発明の効果】
【００２７】
本発明のロール紙収納幅可変機構においては、可動式ロール紙ガイドをスライド可能に
支持しているガイド軸の外周面に、軸圧接部材を弾性変形させて押し付けることにより可
動式ロールガイドを幅方向の所定位置にロックするようにしている。したがって、従来に
おける摩擦係合式のロック機構に比べて部品点数が少なく設置スペースも少なくて済む可
動式ロール紙ガイドのロック機構を実現できる。
【００２８】
したがって、本発明のロール紙収納幅可変機構を用いれば、ロール紙供給装置およびロ
ール紙プリンターの小型コンパクト化に有利である。
【図面の簡単な説明】
【００２９】
【図１】ロール紙プリンターの外観斜視図である。
【図２】開閉蓋を全開にした状態のロール紙プリンターを示す外観斜視図である。
【図３】ロール紙プリンターの内部を示す概略縦断面図である。
【図４】開閉蓋を全開にした状態のロール紙プリンターの概略縦断面図である。
【図５】ロール紙収納幅可変機構を示す斜視図である。
【図６】図５のロール紙収納幅可変機構の底面図である。
【図７】ロール紙収納幅可変機構を示す斜視図である。
【図８】図７のロール紙収納幅可変機構の底面図である。
【図９】可動式ロール紙ガイドを示す分解斜視図である。
【図１０】図９の可動式ロール紙ガイドの断面図である。
【図１１】可動式ロール紙ガイドのロック機構を示す斜視図である。
【図１２】可動式ロール紙ガイドのロック機構の動作を示す説明図である。
【発明を実施するための形態】
【００３０】
以下に、図面を参照して、本発明を適用したロール紙収納幅可変機構を備えたロール紙
プリンターの実施の形態を説明する。
【００３１】
（全体構成）
図１は本実施の形態に係るインクジェット式のロール紙プリンターの外観斜視図であり
、図２はその開閉蓋を全開にした状態の外観斜視図である。ロール紙プリンター１は全体
としてほぼ直方体形状をしたプリンター本体２と、当該プリンター本体２の前面に取り付
けた開閉蓋３とを有している。プリンター本体２の外装ケース２ａの前面には所定幅の記
録紙排出口４が形成されている。記録紙排出口４の下側には排紙ガイド５が前方に突出し
ており、当該排紙ガイド５の側方には蓋開閉レバー６が配置されている。外装ケース２ａ
における排紙ガイド５および蓋開閉レバー６の下側には、ロール紙出し入れ用の矩形の開
口部２ｂが形成されており、この開口部２ｂが開閉蓋３の蓋ケース３ａによって封鎖され
ている。
【００３２】
蓋開閉レバー６を操作すると開閉蓋３のロックが解除される。ロック解除後、排紙ガイ
ド５を前方に引くと、開閉蓋３はその下端部を中心として前方にほぼ水平となるまで開く
。開閉蓋３が開くと、図２に示すように、プリンター内部に組み込まれているロール紙収
納部１０が開放状態となる。同時に、ロール紙収納部１０から記録紙排出口４に到る記録
紙搬送経路が開放状態となり、プリンター前方からロール紙の交換作業などを簡単に行う
ことができるようになる。
【００３３】
図３はロール紙プリンター１の内部構造を示す概略縦断面図であり、図４は開閉蓋３を
全開にした状態の概略縦断面図である。ロール紙プリンター１の内部には、プリンター本
体２の幅方向の中央部分にロール紙収納部１０が形成されている。ロール紙収納部１０に
はロール紙１２がプリンター幅方向に向いた横置き状態で転動可能に収納される。ロール
紙１２は記録紙１２ａ（図においては太い一点鎖線で示してある。）をロール状に巻き取
った構成のものである。ロール紙収納部１０に収納されているロール紙１２から繰り出さ
れる長尺状の記録紙１２ａは、斜め上方に引き出された後に湾曲状のテンションガイド１
４によって湾曲させられた後に水平方向に延びている搬送路１５（記録紙１２ａを示す一
線鎖線と同一の経路）に沿って搬送され、記録紙排出口４から排出される。
【００３４】
水平方向に延びている搬送路１５の部分はロール紙供給部１０の真上に位置しており、
当該搬送路部分には、インクジェットヘッド１８およびプラテン１９が一定のギャップで
対向配置されており、プラテン１９によってインクジェットヘッド１８の印刷位置が規定
されている。
【００３５】
搬送路１５におけるインクジェットヘッド１８の上流側には上流側紙送りローラー２１
が配置されており、この上流側紙送りローラー２１は不図示の紙送りモーターによって回
転駆動される。この上流側紙送りローラー２１には記録紙１２ａを介して押えローラー２
３が連れ回りするように押し付けられている。インクジェットヘッド１８の下流側には、
上流側紙送りローラー２１と同期して回転する下流側紙送りローラー２４が配置されてお
り、この下流側紙送りローラー２４には記録紙１２ａを介して押えローラー２５が連れ回
りするように押し付けられている。記録紙排出口４の近傍にはオートカッター２６が配置
されており、印刷後の記録紙１２ａの先端部分が所定の長さに幅方向に切断されるように
なっている。
【００３６】
ここで、テンションガイド１４は所定の範囲で移動可能な状態で不図示のプリンターフ
レームに取り付けられており、不図示のばね部材によって記録紙１２ａに張力を与える方
向に常に付勢されている。これによって、搬送路１５に沿って引き出されている記録紙１
２ａは一定の引張り状態に保持される。テンションガイド１４の近傍には不図示のガイド
センサが配置されており、記録紙１２ａに弛みが発生してテンションガイド１４がばね部
材による付勢方向に移動すると、この移動がガイドセンサによって検出され、このセンサ
の出力に基づき記録紙１２ａの張力状態を制御可能である。
【００３７】
また、本例では、ロール紙収納部１０には、繰り出しローラー２７と、ここに押し付け
られた押えローラー２８とが配置されており、ロール紙１２から繰り出された記録紙１２
ａは、これらの間を通ってテンションガイド１４に向けて引き出されている。繰り出しロ
ーラー２７は不図示のモータによって駆動される。この繰り出しローラー２７によって繰
り出される記録紙１２ａの張力状態が制御される。
【００３８】
（ロール紙収納幅可変機構）
図５はロール紙収納部１０に組み込まれているロール紙収納幅可変機構を構成している
部分を取り出して示す斜視図であり、図６はその底面図である。ロール紙収納幅可変機構
は、ロール紙収納部１０の底面を規定している底板３０（図６においては省略してある。
）と、ロール紙収納幅を規定している左右の第１ロール紙ガイド３１および第２ロール紙
ガイド３２とを備えている。また、これら第１ロール紙ガイド３１および第２ロール紙ガ
イド３２を、ロール紙収納部１０の幅方向３３（プリンター幅方向）にスライド可能な状
態で支持しているガイド軸３４を備えている。さらに、左右の第１、第２ロール紙ガイド
３１、３２における前側部分を貫通する状態に、２本のローラー軸３５、３６が架け渡さ
れている。ローラー軸３５の第１ロール紙ガイド３１および第２ロール紙ガイド３２には
、それぞれガイドローラー３５ａが回転自在の状態で取り付けられている。ローラー軸３
６の中央部分には回転自在の状態でガイドローラー３５ａ、３６ａが取り付けられている
。これらのローラーにより、ロール紙が容易に回転可能となる。また、これらのガイド軸
３４、ローラー軸３５、３６によって、左右の第１、第２ロール紙ガイド３１、３２は平
行な状態で幅方向３３にスライド可能である。なお、底板３０およびガイド軸３４はプリ
ンター本体２の板金製のプリンターフレームに取り付けられている。
【００３９】
さらに、ロール紙収納幅可変機構は、第１、第２ロール紙ガイド３１、３２をガイド軸
３４に沿った幅方向３３における所定の位置にロックするためのロック機構３７（図９〜
図１２参照）を備えており、ロック機構３７によるロックおよびロック解除は、第１ロー
ル紙ガイド３１の側に配置されている操作レバー３８を操作することによって行われるよ
うになっている。操作レバー３８はガイド軸３４を中心として回動する。
【００４０】
さらには、ロール紙収納幅可変機構は、第１、第２ロール紙ガイド３１、３２を連動さ
せて逆方向に同一量スライドさせるための連動機構３９を備えている。連動機構３９はラ
ック・ピニオン機構から構成されている。図６から分かるように、底板３０の裏面側にお
ける幅方向３３の中央にはピニオン４０が回転自在に取り付けられており、このピニオン
４０には、当該ピニオン４０をロール紙収納部１０の前後方向（プリンター前後方向）か
ら挟む状態に、第１ラック４１および第２ラック４２が噛み合っている。第１ラック４１
および第２ラック４２は幅方向３３に延びており、それぞれ、第１ロール紙ガイド３１お
よび第２ロール紙ガイド３２の底面部分に連結固定されている。
【００４１】
ここで、第１ロール紙ガイド３１は圧縮コイルばね４３（付勢部材）によって常に他方
の第２ロール紙ガイド３２の側に向けて付勢されている。圧縮コイルばね４３は、ガイド
軸３４の軸端部分に取り付けたばね受け４４と、第１ロール紙ガイド３１との間に圧縮状
態で挿入されている。圧縮コイルばね４３のばね力によって、連動機構３７のバックラッ
シなどに起因する第１、第２ロール紙ガイド３１、３２の幅方向３３のガタつきが除去さ
れるようになっている。
【００４２】
図５、６に示すように、ロック機構３７の操作レバー３８が前方に倒したロック位置３
８Ａにある状態では、左右の第１、第２ロール紙ガイド３１、３２がガイド軸３４にロッ
クされてロール紙収納幅が規定される。操作レバー３８をロック位置３８Ａから後方に起
こす方向に操作するとロック機構３７によるロックが解除される。
【００４３】
図７および図８は、ロック解除状態の左右の第１、第２ロール紙ガイド３１、３２を示
す斜視図および底面図である。操作レバー３８がロック解除位置３８Ｂにあるロック解除
状態では、左右の第１、第２ロール紙ガイド３１、３２がガイド軸３４に沿ってスライド
可能となる。先に述べたように、第１ロール紙ガイド３１は圧縮コイルばね４３によって
付勢されており、第１、第２ロール紙ガイド３１、３２は連動機構３９によって逆方向に
同一量スライドするようになっている。したがって、ロックを解除してスライド可能な状
態にすると、図７、８に示すように、左右の第１、第２ロール紙ガイド３１、３２はばね
力によって相互に接近する方向にスライドして、幅方向３３の中央に移動して相互に接し
た状態になる。
【００４４】
（ロック機構）
次に、図９は第１ロール紙ガイド３１をガイド軸３４に沿って分解した状態で示す分解
斜視図であり、図１０は第１ロール紙ガイド３１を図９におけるＡ−Ａ線で切断した場合
の横断面図であり、図１１はロック機構３７の主要部分を示す説明図である。これらの図
を主に参照して、第１ロール紙ガイド３１をガイド軸３４に沿った幅方向３３の所定の位
置にロックするためのロック機構３７を説明する。
【００４５】
第１ロール紙ガイド３１は、ガイド本体ケース３１ａと、このガイド本体ケース３１ａ
に対して幅方向３３の外側から被せられているケース蓋３１ｂと、これらの間に配置され
ている操作レバー３８とを備えている。ガイド本体ケース３１ａには、ガイド軸３４がス
ライド可能な状態で貫通している軸孔３１ｃが形成された円筒状の軸孔形成部３１ｄが一
体形成されている。
【００４６】
この円筒状の軸孔形成部３１ｄの円形先端面からは同軸状態に複数の軸圧接用の爪部材
５１（軸圧接部材）が突出している。爪部材５１は、一定厚さの円筒を円周方向に四分割
して得られた円弧状断面をしており、弾性変形させて内側のガイド軸３４の外周面３４ａ
に圧接可能である。これらの爪部材５１の内周円弧面５１ａはガイド軸３４の円形外周面
３４ａに密接可能な内径寸法である。これらの爪部材５１の外周面は、同一円上に位置す
る円弧面５１ｂと、この円弧面５１ｂの円周方向の両端部分を面取りして形成した一定幅
の平面５１ｃとを備えた輪郭形状となっている。
【００４７】
一方、操作レバー３８は、９０度未満の角度で折れ曲がった形状のレバー本体部分３８
ａと、このレバー本体部分３８ａの基端部に取り付けた円筒部３８ｂとを備えている。こ
の円筒部３８ｂには円筒状のブッシュ５２（回動部材）が同軸状態に差し込まれている。
本例では、操作レバー３８の円筒部３８ｂの内周面に軸線方向に延びる一対の係合溝３８
ｃが形成され、ブッシュ５２の外周面には係合溝３８ｃに係合している一対の係合突起５
２ａが形成されており、これらの係合によって、操作レバー３８とブッシュ５２はそれら
の軸線回りに一体回転するように連結されている。
【００４８】
ブッシュ５２にはガイド軸３４が同軸状態で貫通しており、当該ブッシュ５２の内周面
には軸線方向に延びる一対の係合突起５２ｂが形成されている。ガイド軸３４の外周面３
４ａには、係合突起５２ｂが軸線方向にスライド可能な状態で係合している一対の係合溝
３４ｂが形成されている。これらの係合によって、ブッシュ５２とガイド軸３４は、ガイ
ド軸３４の軸線回りに一体回転するように連結されている。したがって、本例では、操作
レバー３８、ブッシュ５２およびガイド軸３４が一体回転するように連結されているので
、操作レバー３８を操作すると、ブッシュ５２およびガイド軸３４が一体となって、ガイ
ド軸３４の軸線回りに回動する。なお、操作レバー３８を第１ロール紙ガイド３１の側の
ブッシュ５２に取り付けているが、操作レバー３８は他方の第２ロール紙ガイド３１の側
に配置することも可能であり、直接にガイド軸３４に取り付けることも可能である。
【００４９】
また、ブッシュ５２には、その幅方向の内側端部に大径の円筒部５２ｃが形成されてい
る。この円筒部５２ｃの内周面とガイド軸３４の外周面３４ａの間に形成される円環状隙
間には、ガイド本体ケース３１ａの軸孔形成部３１ｄから突出している複数の爪部材５１
が幅方向３３の内側から軸線方向に差し込まれている。
【００５０】
図１２（ａ）および（ｂ）は図１０におけるＢ−Ｂ線およびＣ−Ｃ線でそれぞれ切断し
た部分の部分断面図であり、ロック機構３７のロック解除状態を示してある。同様に、図
１２（ｃ）および（ｄ）は、図１０のＢ−Ｂ線およびＣ−Ｃ線でそれぞれ切断した部分の
部分断面図であり、ロック機構３７のロック状態を示してある。
【００５１】
図１１および図１２を参照して説明すると、各爪部材５１の外周面は、円弧面５１ｂと
、この円弧面５１ｂの円周方向の両端部を面取りして形成した一定幅の平面５１ｃとが形
成されている。これに対して、ブッシュ５２の円筒部５２ｃの内周面は、各爪部材５１の
円弧面５１ｂが密着可能な円形内周面に、円周方向に沿って一定の角度間隔で一定幅の平
面を盛り付けた輪郭形状となっている。すなわち、当該円筒部５２ｃの内周面は、４つの
円弧面５２ｄと４つの平面５２ｅとが交互に形成された輪郭形状となっている。そして、
当該円筒部５２ｃの内周面の輪郭形状は、各爪部材５１の外周面によって規定される輪郭
形状とほぼ同一である。
【００５２】
ロック解除状態においては、図１２（ａ）、（ｂ）に示すように、ブッシュ５２の円筒
部５２ｃの内周面形状と、その内側の４枚の爪部材５１によって規定される外周面形状と
は同一位相の位置関係になる。この状態では、ブッシュ５２はガイド軸３４の外周面３４
ａに沿ってスライド可能であり、したがって、ブッシュ５２に連結されている操作レバー
３８が組み込まれている第１ロール紙ガイド３１はガイド軸３４に沿ってスライド可能で
ある。
【００５３】
このロック解除状態から操作レバー３８を前方に所定角度、たとえば３０度回動させて
ロック位置３８Ａまで倒すと、図１２（ｃ）、（ｄ）に示すように、操作レバー３８に連
結されているブッシュ５２も同一方向（図の矢印Ｄの方向）に同一角度、たとえば３０度
回動する。この結果、ブッシュ５２の円筒部５２ｃの内周面形状と４枚の爪部材５１の外
周面形状の位相が所定角度、例えば３０度ずれて、ブッシュ５２側の４つの平面５２ｅが
、４枚の爪部材５１の円弧面５１ｂに乗り上げた状態が形成される。すなわち、ブッシュ
側の平面５２ｅによって爪部材５１が半径方向の内側に強制的に弾性変形させられる。
【００５４】
この結果、各爪部材５１がガイド軸３４の外周面３４ａに圧接され、爪部材５１がガイ
ド軸３４に沿ってスライド不可の状態、換言すると、爪部材５１が一体形成されている軸
孔形成部を備えた第１ロール紙ガイド３１がガイド軸３４にロックされたロック状態が形
成される。このロック状態において操作レバー３８を後方に回動させてロック解除位置３
８Ｂまで起こすと、再び、図１２（ａ）、（ｂ）のロック解除状態になる。
【００５５】
次に、本例では、他方の第２ロール紙ガイド３２も可動式ロール紙ガイドであり、ガイ
ド軸３４に沿ってスライド可能である。この第２ロール紙ガイド３２にも、爪部材５１と
同一構造の爪部材（第２軸圧接部材）と、ブッシュ５２と同一構造のブッシュ（第２回動
部材）が取り付けられている。したがって、操作レバー３８を操作すると、それによって
ガイド軸３４が回動するので、第１ロール紙ガイド３１がロックおよびロック解除される
動作と同様な動作によって、第２ロール紙ガイド３２の側のロックおよびロック解除され
る。
【００５６】
（ロール紙収納幅の調整操作）
このような構成とした本例のロール紙収納幅可変機構では、図５、６に示す状態が最も
ロール紙収納幅が広い状態である。この状態において、前方に倒れたロック位置３８Ａに
ある操作レバー３８を後方に回動してロック解除位置３８Ｂにすると、ロック機構３７に
よるロックが解除され、第１、第２ロール紙ガイド３１、３２はガイド軸３４に沿ってス
ライド可能になる。第１、第２ロール紙ガイド３１、３２は連動機構３９によって反対方
向に同一量スライドするようになっており、第１ロール紙ガイド３１は圧縮コイルばね４
３によって内側に付勢されている。したがって、ロックを解除すると、双方の第１、第２
ロール紙ガイド３１、３２が幅方向の内側にスライドして、図７、８に示すように幅方向
の中央において相互に接した状態になる。
【００５７】
ロール紙収納幅の調整時には、この状態において操作者が第１、第２ロール紙ガイド３
１、３２の一方を持って幅方向の外側にスライドさせ、これらの間にロール紙１２を装着
する。しかる後に第１、第２ロール紙ガイド３１、３２から手を離すと、圧縮コイルばね
４３の付勢力によって、双方の第１、第２ロール紙ガイド３１、３２がロール紙１２の両
側面に密着した状態になる。この状態で、操作レバー３８を操作して、双方の第１、第２
ロール紙ガイド３１、３２をロックすることで、ロール紙収納幅の調整作業が終了する。
【００５８】
（その他の実施の形態）
ここで、操作レバー３８を操作して第１ロール紙ガイド３１および第２ロール紙ガイド
３２のロック、ロック解除を行うに際して、これらの間において、ロック形成時点および
ロック解除時点を前後にずらすことが可能である。
【００５９】
特に、第２ロール紙ガイド３２を先にロックすることが望ましい。第１ロール紙ガイド
３１が先にロックすると、当該第１ロール紙ガイド３１および連動機構３９を介して第２
ロール紙ガイド３２を内側に付勢している圧縮コイルばね４３の付勢力が解除され、第２
ロール紙ガイド３２は、連動機構３９のバックラッシなどに起因して幅方向３３にガタ付
きが生ずることがある。この結果、ロール紙１２の側面に密着した位置から僅かに外れた
位置にロックされ、第１、第２ロール紙ガイド３１、３２の間に装着されたロール紙１２
が幅方向にガタ付くことがある。第２ロール紙ガイド３２を先にロックすれば、第１ロー
ル紙ガイド３１は常に圧縮コイルばね４３によって内側に付勢されているので、ロール紙
１２の側面に密着した位置に正確にロックすることができる。
【００６０】
第１、第２ロール紙ガイド３１、３２の間においてロック時点を前後にずらすためには
、爪部材５１の外周面形状およびブッシュ５２の内周面形状を、第１ロール紙ガイド３１
の側と、第２ロール紙ガイド３２の側とで僅かに異なるようにすることで簡単に実現でき
る。
【００６１】
次に、上記の例では、第１ロール紙ガイド３１のみを圧縮コイルばね４３によって内側
に付勢しているが、他方の第２ロール紙ガイド３２の側も内側に圧縮コイルばねなどの付
勢部材によって付勢してもよい。この場合には、一方の付勢部材の付勢力を他方の付勢部
材の付勢力よりも大きくなるように設定しておくことが望ましい。特に、連動機構３９な
どによって左右の第１、第２ロール紙ガイド３１、３２が連動してスライドする場合には
、
双方の付勢力が同一であると、ロック時において、連動機構３９のバックラッシなどに起
因して第１、第２ロール紙ガイド３１、３２は左右にガタつくことがあり、ロール紙収納
幅の中心が左右に変動しやすい。一方の付勢部材の付勢力を大きくしておけば、常に第１
、第２ロール紙ガイド３１、３２は幅方向の一方の側に押された状態でロックされるので
、それらによって規定されるロール紙収納幅の中心位置が左右に変動せずに正確に規定さ
れる。
【００６２】
次に、上記の例では、双方の第１、第２ロール紙ガイド３１、３２を共にガイド軸３４
に沿ってスライド可能な可動式ロール紙ガイドとしているが、一方のみを可動式ロール紙
ガイドとし、他方をスライドしない固定式ロール紙ガイドとすることも可能である。この
場合には、可動式ロール紙ガイドの側にのみロック機構３７を組み込めば良い。また、こ
の場合においても、可動式ロール紙ガイドを付勢する付勢部材を配置しておくことが望ま
しい。
【００６３】
一方、可動式ロール紙ガイドにおいては、ロール紙の側面に当たる内側面に、ばね部材
によって幅方向の内側に押されている当接部材が配置されている場合がある。たとえば、
図５に示すように、可動式ロール紙ガイドである第１ロール紙ガイド３１の内側面３１Ａ
に、幅方向に移動可能な矩形の当接部材３１Ｂが取り付けられる場合がある。当接部材３
１Ｂは不図示のばね力によって幅方向の外側から支持されている。当接部材３１Ｂは第１
ロール紙ガイド３１の内側面３１Ａから内側に突出しており、したがって、ロール紙の側
面にばね力によって押し付けられ、これにより、ロール紙の幅方向のガタつきを防止可能
である。
【００６４】
この場合、操作レバー３８によるロック解除状態においては、当接部材３１Ｂを幅方向
における中立位置（幅方向の移動可能範囲の中心）に保持しておくことが望ましい。すな
わち、この状態でロール紙収納幅を設定してロック状態にして、中立位置に保持されてい
た当接部材３１Ｂを幅方向に移動可能な状態となるように解放すれば、常に、適切な当接
力によってロール紙が保持される。
【００６５】
このようにするためには、操作レバー３８の一部に当接部材３１Ｂに係合して、当該当
接部材３１Ｂを中立位置に強制的に保持可能な係合部分を形成しておき、操作レバー３８
をロック解除位置３８Ｂに移動すると当該係合部分が当接部材３１Ｂに係合し、操作レバ
ー３８をロック位置３８Ａに移動すると当該係合部分が当接部材３１Ｂから外れるように
しておけばよい。
【符号の説明】
【００６６】
１  ロール紙プリンター、２  プリンター本体、２ａ  外装ケース、２ｂ  開口部、３  
開閉蓋、３ａ  蓋ケース、４  記録紙排出口、５  排紙ガイド、６  蓋開閉レバー、１０
ロール紙収納部、１２  ロール紙、１２ａ  記録紙、１４  テンションガイド、１５  
搬送路、１８  インクジェットヘッド、１９  プラテン、２１  上流側紙送りローラー、
２３  押えローラー、２４  下流側紙送りローラー、２５  押えローラー、２６  オート
カッター、２７  繰り出しローラー、２８  押えローラー、３０  底板、３１  第１ロー
ル紙ガイド、３１ａ  ガイド本体ケース、３１ｂ  ケース蓋、３１ｃ  軸孔、３１ｄ  軸
孔形成部、３１Ａ  内側面、３１Ｂ  当接部材、３２  第２ロール紙ガイド、３３  幅方
向、３４  ガイド軸、３４ａ  外周面、３４ｂ  係合溝、３５，３６  ローラー軸、３５
ａ、３６ａ  ガイドローラー、３７  ロック機構、３８  操作レバー、３８ａ  レバー本
体部分、３８ｂ  円筒部、３８ｃ  係合溝、３８Ａ  ロック位置、３８Ｂ  ロック解除位
置、３９  連動機構、４０  ピニオン、４１  第１ラック、４２  第２ラック、４３  圧
縮コイルばね、４４  ばね受け、５１  爪部材、５１ａ  内周円弧面、５１ｂ  円弧面、
５１ｃ  平面、５２  ブッシュ、５２ａ  係合突起、５２ｂ  係合突起、５２ｃ  円
筒部、５２ｄ  円弧面、５２ｅ  平面
【図１】
2010202304.tif 000003
【図２】
2010202304.tif 000004
【図３】
2010202304.tif 000005
【図４】
2010202304.tif 000006
【図５】
2010202304.tif 000007
【図６】
2010202304.tif 000008
【図７】
2010202304.tif 000009
【図８】
2010202304.tif 000010
【図９】
2010202304.tif 000011
【図１０】
2010202304.tif 000012
【図１１】
2010202304.tif 000013
【図１２】
2010202304.tif 000014